(57)【要約】【目的】本発明は、既存外壁材がＡＬＣ外壁材、等によって構成されている建物外壁の改修方法に関するものである。【構成】既存外壁材Ａを貫通したコア抜き孔１から支持金具２を挿入して支持金具２の表面プレート３ａ、裏面プレート４ａを上記既存外壁材Ａの表、裏面間に対峙し、表面プレート３ａから既存外壁材Ａを貫通して裏面プレート４ａへ挿入される螺子８によって固定し、表面プレート３ａ外側にリブプレートＢ１を当接または固定し、リブプレートＢ１上に縦胴縁又は横胴縁等の下地材Ｂ２を当接または固定し、この下地材Ｂに対して新規外壁材Ｃを取り付ける外壁材の改修方法である。【選択図】　　　図１
2004116189.tif 000002
【特許請求の範囲】
【請求項１】
既存外壁材を貫通したコア抜き孔から支持金具を挿入して支持金具の表面プレート、裏面プレートを上記既存外壁材の表、裏面間に対峙し、表面プレートから既存外壁材Ａを貫通して裏面プレートへ挿入される螺子によって固定し、表面プレート外側にリブプレートを当接または固定し、リブプレート上に縦胴縁又は横胴縁等の下地材を当接または固定し、この下地材に対して新規外壁材を取り付けることを特徴とする外壁材の改修方法である。
【発明の詳細な説明】
【０００１】
【産業上の利用分野】
本発明は、既存外壁材がＡＬＣ外壁材、等によって構成されている建物外壁の改修装置に関するものである。
【０００２】
【従来の技術】
気泡コンクリート又は軽量気泡コンクリート等のＡＬＣ外壁材等は、断熱性、遮音性、耐火性に優れた建材であって、外壁材、間仕切り壁材、床材、屋根材として広く普及している。
【０００３】
これら既存外壁材が劣化した場合、新しい外壁材と交換する方法も考えられるが、周辺への悪影響（埃・騒音・危険）・廃材処理・工事費用の点で得策でなかった。
【０００４】
【特許文献１】
特開平１１−９３３７４号公報
【特許文献２】
特開２００２−１３８６４９号公報
【０００５】
上記問題点を解決するために、既存の外壁材の表面に新規外壁材を取り付け、既存外壁材の特性を残しながら、建物表面を綺麗に改修する工法として、例えば上記特許文献１、２が開発されている。
【０００６】
従来技術の特許文献１、２は、既存外壁材に孔をあけ、既存外壁材の下地鉄骨（梁ウェッブ）に固定下地材を取り付け、この固定下地材に新規外壁材を取り付ける構造であるが、既存外壁材の下地鉄骨がうまく見つけられなかったり、下地鉄骨が存在しない部分に孔を穿孔して既存下地の強度を低下させたり、下地鉄骨となる梁ウェッブが深く、固定下地が届かない、等の不具合が生じる場合があった。
【０００７】
【発明が解決しようとする課題】
本発明はこのような課題を解決するために、既存外壁材の外側に新規外壁材を取り付けるための支持金具を、既存外壁材で受け、既存外壁材を損傷しないようにした改修装置を提供することを目的としている。
【０００８】
【課題を解決するための手段】
既存外壁材を貫通したコア抜き孔から支持金具を挿入して支持金具の表面プレート、裏面プレートを上記既存外壁材の表、裏面間に対峙し、表面プレートから既存外壁材Ａを貫通して裏面プレートへ挿入される螺子によって固定し、表面プレート外側にリブプレートを当接または固定し、リブプレート上に縦胴縁又は横胴縁等の下地材を当接または固定し、この下地材に対して新規外壁材を取り付ける外壁材の改修方法を提供するものである。
【０００９】
【発明の実施の形態】
以下に、図面を用いて本発明に係る外壁材の改修方法について説明する。支持金具２は、図１、図２（ａ）〜（ｃ）に示すように両端に一辺５０ミリの正方形表面プレート３と５０ミリの円形裏面プレート４を備え、上端近傍に断面長方形状の橋渡板５で連結した中央縦断面が倒れコ字状板であって、表面プレート外側３ａから既存外壁材Ａ（改修を必要とする既存のＡＬＣ外壁材、等）を通して裏面プレート外側４ａに至る部分に予め開けた貫通孔６であって、特に裏面プレート４には螺子８が嵌合可能な種々の雌ネジ機構７が加工されている。また、Ｄは既存外壁材の躯体である。
【００１０】
図３、図４は下地材Ｂを示すものであり、図３はリブプレートＢ１、図４は縦胴縁又は横胴縁等の下地材Ｂ２である。下地材Ｂは後記する新規外壁材Ｃを施工する下地となるものである。
【００１１】
図５〜図１２は施工順序を示す説明図である。図５、図８に示すように、既存外装材の表面Ａ１の所定の場所にφ５０のホールソー及びφ１０のキリでコア抜き孔１、貫通孔６が穿設される。このコア抜き孔１に対し、支持金具２の裏面プレート４側から差し込み、既存外壁材Ａの裏面Ａ２に垂直に落とし込み螺子８を表面プレート外側３ａから貫通孔６を通して裏面プレートの雌ネジ機構７に固定する。
【００１２】
支持金具２の固定が完了したら、抜いた既存外壁材Ａのコア１ａを元の位置に戻し、隙間にシーリング材１０（耐火ボンド、ＡＬＣ専用補修材等）を注入し止水処理を施し、下地材Ｂを施工する固定下地を形成するものである。
【００１３】
また必要により、図示しないが不陸調整用ゴムパッドを表面プレート外側３ａに張り付け、下地材Ｂとの不陸調整を行うものである。
【００１４】
図６は本発明の支持金具２を用いた改修装置９の一部拡大断面を示す説明図であるが、表面プレート外側３ａから裏面プレート外側４ａに向かって螺子８が貫通孔６に挿入され、裏面プレートの下方にバーリング加工１２を施された雌ネジ機構７が形成され、嵌合の容易性、安定性が図られている。
【００１５】
バーリング加工１２による雌ネジ機構７は、図６のように裏面プレート４本体をそのまま加工することもできるが、図１５（ａ）〜（ｆ）に示すように別部材で各種雌ネジ機構７を形成し、裏面プレート４と複合一体化することもできる。図１５（ａ）〜（ｆ）において、（ａ）図は内ネジを加工した逆Ｔ型、（ｂ）図は内ネジを施した倒れＨ型、（ｃ）図は内ネジを加工したＴ型、（ｄ）図はテーパ付き逆Ｔ型、（ｅ）図はテーパ付きＴ型、（ｆ）図は内、外ネジ付き逆Ｔ型である。
【００１６】
図７は改修装置９の中央縦断面を示すものであるが、螺子８が既存外壁材Ａを貫通して改修装置９の位置決めを確実なものとしている。なお実施例においては鉛直下方に貫通孔６を穿設した例を示しているが、コア１ａを中心に円周近傍の任意の位置に穿設することもできる。
【００１７】
図１３、図１４は本発明に係る既存外壁材の改修方法として使用する支持金具２のその他の実施例を示している。
【００１８】
リブプレートＢ１は図１０に示すように支持金具２の表面プレート外側３ａに固定具を介して固定されるものであり、後記する縦胴縁又は横胴縁等の下地材Ｂ２が既存外壁材Ａの凹凸（不陸）、塗装状況、タイル等の装飾、により干渉（悪影響）を受けないように、不陸調整を行うものである。
【００１９】
図では縦胴縁又は横胴縁等の下地材Ｂ２を縦に形成する場合の構造であり、横に形成する場合には９０°回転させて固定するものである。勿論、新規外壁材Ｃが横張りか縦張りかで下地材Ｂの施工方向が決定されるものである。なお、リブプレートＢ１の寸法としては、板厚が４．５ｍｍ、縦１００ｍｍ×横１００〜１２０ｍｍ、リブ深さ１０〜１２ｍｍ程度である。
【００２０】
縦胴縁又は横胴縁等の下地材Ｂ２は図１１に示すように、リブプレートＢ１上に福数本形成され、新規外壁材Ｃの施工下地として機能するものである。
【００２１】
【発明の効果】
以上説明したように本発明に係る外壁材の改修方法によれば、▲１▼既存の既存外壁材を解体する必要がないので、工期の短縮、居住や利用の中断等に支障がない。▲２▼プレハブ住宅等にも使用可能である。▲３▼既存壁と新規壁の２重壁構造となるため、断熱、防音、防火性に富む。▲４▼軽量鉄骨造、木造躯体の薄物ＡＬＣ（５０ｍｍ〜３７ｍｍ）造建物にも使用可能である。▲５▼既存外壁材に係る荷重を最小とすることができると共に、新規外壁材の取付強度も十分確保できる。▲６▼取付ガイドの使用により、安定した支持金具の施工が可能となる。▲７▼既存外壁材を残した改修であるため、防火性能基準の問題もクリアーできる。▲８▼既存外壁材の構造躯体の位置に左右されない。▲９▼熱架橋が構造躯体に及ばないので、複合壁としての個別認定が取り易い。等の特徴、効果がある。
【図面の簡単な説明】
【図１】本発明に係る既存外壁材の改修方法に使用する改修装置の代表例を示す説明図である。
【図２】本発明に係る既存外壁材の改修方法に使用する改修装置の代表例を示す説明図である。
【図３】本発明に係る既存外壁材の改修方法に使用する下地材の代表例を示す説明図である。
【図４】本発明に係る既存外壁材の改修方法に使用する下地材の代表例を示す説明図である。
【図５】本発明に係る既存外壁材の改修方法の施工状態を示す説明図である。
【図６】本発明に係る既存外壁材の改修方法の施工状態を示す説明図である。
【図７】本発明に係る既存外壁材の改修方法の施工状態を示す説明図である。
【図８】本発明に係る既存外壁材の改修方法の施工状態を示す説明図である。
【図９】本発明に係る既存外壁材の改修方法の施工状態を示す説明図である。
【図１０】本発明に係る既存外壁材の改修方法の施工状態を示す説明図である。
【図１１】本発明に係る既存外壁材の改修方法の施工状態を示す説明図である。
【図１２】本発明に係る既存外壁材の改修方法の施工状態を示す説明図である。
【図１３】本発明に係る既存外壁材の改修方法に使用する改修装置のその他の実施例を示す説明図である。
【図１４】本発明に係る既存外壁材の改修方法に使用する改修装置のその他の実施例を示す説明図である。
【図１５】改修装置のバーリング加工のその他の実施例を示す説明図である。
【符号の説明】
Ａ　既存外壁材
Ａ１　既存外壁材の表面
Ａ２　既存外壁材の裏面
Ｂ　下地材
Ｂ１　リブプレート
Ｂ２　縦胴縁又は横胴縁等の下地材
Ｃ　新規外壁材
Ｄ　　既存外壁材の躯体
１　コア抜き孔
１ａ　コア
２　支持金具
３　表面プレート
３ａ　表面プレート外側
４　裏面プレート
４ａ　裏面プレート外側
５　橋渡板
６　貫通孔
７　雌ネジ機構
８　螺子
９　改修装置
１０　シーリング材
１１　ストッパ片
１２　バーリング加工
【図１】
2004116189.tif 000003
【図２】
2004116189.tif 000004
【図３】
2004116189.tif 000005
【図４】
2004116189.tif 000006
【図５】
2004116189.tif 000007
【図６】
2004116189.tif 000008
【図７】
2004116189.tif 000009
【図８】
2004116189.tif 000010
【図９】
2004116189.tif 000011
【図１０】
2004116189.tif 000012
【図１１】
2004116189.tif 000013
【図１２】
2004116189.tif 000014
【図１３】
2004116189.tif 000015
【図１４】
2004116189.tif 000016
【図１５】
2004116189.tif 000017